(57)【要約】【課題】  既存市販品の磁気カード、ＲＦ−ＩＤを用いた非接触ＩＣカード、タグ他等は大きな課題として消費電力不足の問題があり、液晶表示機能付きのカード、タグは見当たらない。特にＩＣカードによる現金取り扱い等は残高表示等の表示機能は不可欠である。本考案は受光ダイオード（ホトダイオード）の改善を行ない液晶表示機能を可能にし、ＩＣカードに取付けている。【解決手段】  超小型、超薄型の特殊な受光ダイオード（ホトダイオード）を発電源とした赤外光によるＩＣカードを実現する事により、液晶表示を可能化している。液晶表示機能は低消費電力化、発電源の高効率化を図る事により、これを解決している。ＲＦ−ＩＤを利用したカード、タグについても発電源の改善を図る事で液晶表示は可能である。【選択図】    図２
2005157988.tif 000002
【特許請求の範囲】
【請求項１】
ＩＣカード又はＩＤタグ等において固体電池（以下１次電池、２次電池を含むすべての電池を言う）を内蔵しなくても表示可能な液晶表示（又は他のすべての表示機能を含む）装置。
【請求項２】
請求項１と関連して赤外光、電波又は電磁誘導により発電させて液晶表示をさせる装置。ＲＦ−ＩＤによる液晶表示を含む。
【請求項３】
赤外光、電波又は電磁誘導により、データ通信を行なうと同時に該赤外光、電波又は電磁誘導を電力源として液晶表示が可能な装置。
【請求項４】
前記の装置において液晶表示側にＲＯＭ等のメモリＩＣを内蔵する事により、蛍光灯、白熱電球又は太陽光下等で光を照射する事により、メモリＩＣに記憶させた内容をその都度液晶表示板に文字、他が表示できる液晶表示装置。
【発明の詳細な説明】
【技術分野】
【０００１】  本発明は赤外光、電波又は電磁誘導を使用してこれを発電源とする微小な電力源を使用しても液晶表示が可能な装置に関するものである。
【背景技術】
【０００２】  従来の液晶表示機能に関するものは既に市販されている液晶表示付き電卓、腕時計、他等はすべて乾電池又はコイン型リチウム電池、太陽電池他等の固体電池を内蔵して、これを電力源としている為、大きな電力が得られ、装置の動作及び液晶表示は難無く動作が可能である。
【発明の開示】
【発明が解決しようとしている課題】
【０００３】  従来の液晶表示は、前記背景技術の説明の通り固体電池又は太陽電池等の大電力で装置を駆動する為、液晶表示は可能であったが、最近非接触技術を用いた既に市販されているＲＦ−ＩＤカード又はタグ等に液晶表示又は表示機能を搭載したものは存在していない。これは大きな要因の一つとして電力不足が挙げられる。又、太陽電池は電力は発生するもののこれ自体のデータ通信は不可能に近い。
データ通信で送られたデータを固体電池無しで液晶表示する為には前記であげる電力供給が充分である事、及びデータ通信が可能である事の２つの条件を同時に満足しなければならない。本発明は赤外光、電波又は電磁誘導で発生する微小電力であり乍ら固体電池無しで液晶表示を可能にする装置を提供するものである。
【課題を解決するための手段】
【０００４】  本発明は固体電池若しくは太陽電池等を用いて電力源を得るのでは無く、特殊な受光ダイオード（ホトダイオード）を用い、且小型化して更にはチップ化する事により、超小型、且薄型で高性能な発電源を得る事で実現、且提供するものである。
前記記載の特殊な受光ダイオード（ホトダイオード）を使用する事により、極な光量で大電力が得られる事と太陽電池とは異なり高速データ通信素子である事又他のもう１つのチップ型発光ダイオードと組合わせる事で微少光量によるメモリ書き込み、液晶表示は勿論、書き込んだメモリの内容を他方の赤外線通信装置へのデータ送信が可能であって、セキュリティ管理、ゲート管理他等パソコン通信を含めたあらゆる応用範囲に拡大できる。
【発明の効果】
【０００５】  本発明は以上説明した様に構成されるので、以下に記載される様な効果を奏でる。
カード側（子機側）の発電源に超小型、超薄型の特殊な受光ダイオード（ホトダイオード）を使用する事により電力供給源であると同時に高速データの通信素子の役目を果たしている為に電源ラインに重畳された書込命令信号によりカードへの書き込み操作をすると同時にその書込み結果を液晶表示する。又更に図２に示すＩＣカードは５の受光ダイオード（ホトダイオード）の部分に微少な光を照射するだけで記憶内容を液晶表示する事ができる。これによって従来のＩＣカードの残高表示をいつでもどこでも微少な光で表示可能となり、すべてのカードへの応用できる。
更には図３に示す親機との交信機能を持たせる事により、カード側の５受光ダイオード（ホトダイオード）へ光を当てる事で親機へ子機の内容を送信する事ができる。
即ち、既存市販品であるＩｒ−ＤＡ（赤外線データ通信ユニット）の機能を持たせる事ができる。
図２のカードはＩＣカードの他に入退場管理用として又部屋番号の表示用として、又入退場毎の回数更新を目で確認する事ができる。
本考案図２に示すＩＣカードを例としたがＩＣカード部分をモジュール化し、受光ダイオード（ホトダイオード）、発光ダイオードを含むＩＣタグ化を実施し、且液晶表示部も一体化した形とする事で液晶表示機能付タグとして使用する事ができる。
【発明を実施するための最良の形態】
【０００６】  図１は既に市販されている太陽電池を使用した液晶表示機能付電卓の例を示す。固体電池内蔵型液晶表示付電卓は既に市販されている。同図（ａ）は太陽電池を使用した電卓の外観を示し、（ｂ）はそのブロック構成を示す。
該太陽電池を使用した電卓は太陽電池自体が直流電力供給源であり、高速データ通信は不可能である。本体は太陽光等の光が当ると発電し、ＣＰＵの演算機能を実施、３の液晶画面に算用数字を表示する。
図２（ａ）は本考案の特殊な超薄型、超小型の受光ダイオード（ホトダイオード）チップを用いた液晶表示付きＩＣカードの外観を示す。同図（ｂ）はそのブロック構成図を示す。
図２（ｂ）のＣＰＵのメモリに既に内容が記憶されていると、５の受光ダイオード（ホトダイオード）に光が当る事により、液晶表示に算用数字他等の文字が表示される（絵の表示も含む）。
図３は該図２のＩＣカードメモリに親機と交信して必要事項を記憶させる時の構成図である。又５は超小型、超薄型の受光ダイオード（ホトダイオード）であり、６はチップ型の超小型、超薄型の発光ダイオードである。これは親機、子機間で交信してカードのメモリに親機の内容を記憶させる時の構成図である。
図３の親機７より、発光ダイオード６、受光ダイオード（ホトダイオード）５を介してＩＣカード８のＣＰＵメモリに内容の書き込みを行なう。書きこみが完了したら、チップ発光ダイオード６、受光ダイオード（ホトダイオード）５を介して親機７へ完了信号を返送する。ここで６の発光ダイオードは光パワーと書き込み信号を同時に子機８へ送信（電源のライン上への信号重畳方式で電力線搬送として周知である）して、子機への書き込みを行なう。
【図面の簡単な説明】
【０００７】
【図１】既存の太陽電池付液晶表示型携帯電卓とそのブロック構成図である。
【図２】本考案の超小型、超薄型受光ダイオード（ホトダイオード）及び発光ダイオードを用いた液晶表示機能付きＩＣカードの外観図とそのブロック構成図である。
【図３】本考案の液晶表示機能付きＩＣカードを親機とパソコンと交信をさせる為のブロック構成図である。
【符号の説明】
【０００８】１  太陽電池を用いた液晶表示機能付き携帯型電卓
２  太陽電池
３  液晶表示板
４  液晶表示機能付きＩＣカード
５  超小型、超薄型受光ダイオード（ホトダイオード）
６  超小型、超薄型発光ダイオード
７  親機（受光ダイオード（ホトダイオード）、発光ダイオードのドライブ回路を含むパソコン、ホストコンピュータ、他）
８  液晶表示機能付きＩＣカード（子機）
９  可視光若しくは赤外光
【図１】
2005157988.tif 000003
【図２】
2005157988.tif 000004
【図３】
2005157988.tif 000005